(57)【要約】【課題】  ソフトスタート機能を有するモータ制御装置を備えたモータ装置において、出荷時の製品検査等の際にソフトスタートを防いで検査に要する時間を短縮化することが可能なモータ制御装置および該モータ制御装置を備えたモータ装置を提供する。【解決手段】  ソフトスタート手段２６を有するモータ制御装置２０において、外部入力信号がモータ駆動指令信号Ｓ１かモータ検査のためのモータ検査指令信号Ｓｃのいずれかであるかを判定して判定信号Ｓ２を出力する外部信号判定手段２３と、判定信号Ｓ２に基づき外部入力信号がモータ検査指令信号Ｓｃであった場合は、ソフトスタート手段２６を無効化させるソフトスタート無効化手段２５とを備え、ソフトスタート手段２６は、ソフトスタート無効化手段２５によって無効化されていない場合にソフトスタート制御を行う。【選択図】    図９
2006320164.tif 000002
【特許請求の範囲】
【請求項１】
外部から入力されるモータ駆動指令信号に基づいてモータへ駆動信号を出力してモータ回転速度を制御するためのモータ制御装置において、
モータ起動時に前記駆動信号を変化させることによって、モータ停止状態からモータ回転速度を漸次に前記モータ駆動指令信号に対応する回転速度に到達させるためのソフトスタート制御を行うソフトスタート手段と、
外部入力信号が前記モータ駆動指令信号かモータ作動検査のためのモータ検査指令信号のいずれかであるかを判定して判定結果を出力する外部信号判定手段と、
前記判定結果に基づき外部入力信号が前記モータ検査指令信号であった場合には、前記ソフトスタート手段のソフトスタート制御を無効化させるソフトスタート無効化手段と、を備え、
前記ソフトスタート手段は、前記ソフトスタート無効化手段によって前記ソフトスタート制御が無効化されていない場合に該ソフトスタート制御を行うことを特徴とするモータ制御装置。
【請求項２】
前記ソフトスタート手段は、前記ソフトスタート無効化手段によって前記ソフトスタート制御が無効化されている場合には、該ソフトスタート制御を行うときよりも短時間で所定のモータ回転速度に達するように、前記駆動信号を変化させることを特徴とする請求項１に記載のモータ制御装置。
【請求項３】
前記ソフトスタート手段は、前記ソフトスタート無効化手段によって前記ソフトスタート制御が無効化されている場合には、所定のモータ回転速度に対応した駆動信号を出力させることを特徴とする請求項１に記載のモータ制御装置。
【請求項４】
外部入力信号は矩形波電圧信号または矩形波電流信号であり、
前記外部信号判定手段は、外部入力信号の繰り返し時間間隔または周波数に基づいて、外部入力信号が前記モータ駆動指令信号か前記モータ検査指令信号のいずれかであることを判定することを特徴とする請求項１に記載のモータ制御装置。
【請求項５】
外部入力信号は矩形波電圧信号または矩形波電流信号あるいは直流電圧信号または直流電流信号であり、
前記外部信号判定手段は、外部入力信号の信号パターンに基づいて、外部入力信号が前記モータ駆動指令信号か前記モータ検査指令信号のいずれかであることを判定することを特徴とする請求項１に記載のモータ制御装置。
【請求項６】
モータと、該モータの駆動を制御する請求項１〜５のいずれか１項に記載のモータ制御装置と、を備えたことを特徴とするモータ装置。
【発明の詳細な説明】
【技術分野】
【０００１】
本発明はモータ制御装置およびモータ装置に係り、特に起動時にモータをソフトスタートさせる機能を有するモータ制御装置および該モータ制御装置を備えたモータ装置に関する。
【背景技術】
【０００２】
従来、例えば、車両搭載の空調装置では、始動時に停止状態からの急激なブロワモータの作動によって作動音等のノイズが発生してしまうことを緩和するため、ブロワモータをソフトスタートさせることが一般的である（例えば、特許文献１参照）。すなわち、ブロワモータの回転制御を行うブロワモータ制御回路には、モータの出力を徐々に上昇させるソフトスタート制御手段が組み込まれており、ブロワモータ制御回路は、上位の空調制御回路であるエアコンＥＣＵからブロワモータ駆動指令信号を受けると、ブロワモータへの出力を制御してブロワモータをソフトスタートさせる。
【０００３】
【特許文献１】特開２００１−４５７９０号公報
【発明の開示】
【発明が解決しようとする課題】
【０００４】
しかしながら、ブロワモータ制御回路にソフトスタート制御手段が組み込まれていると、ブロワモータを最大出力（又は所定の回転速度）に到達させるのに時間が掛かってしまう。このため、最大出力の特性検査等を含む製品の出荷検査に時間が掛かってしまうという問題があった。また、並行検査して検査時間を短縮しようとすると、検査設備の増加が必要となり検査費用が増大してしまう。
本発明の目的は、上記課題に鑑み、ソフトスタート制御手段を有するモータ制御装置を備えたモータ装置において、出荷時の製品検査等の際にソフトスタートを防いで検査に要する時間を短縮化することが可能なモータ制御装置および該モータ制御装置を備えたモータ装置を提供することにある。
【課題を解決するための手段】
【０００５】
前記課題は、本発明によれば、外部から入力されるモータ駆動指令信号に基づいてモータへ駆動信号を出力してモータ回転速度を制御するためのモータ制御装置において、モータ起動時に前記駆動信号を変化させることによって、モータ停止状態からモータ回転速度を漸次に前記モータ駆動指令信号に対応する回転速度に到達させるためのソフトスタート制御を行うソフトスタート手段と、外部入力信号が前記モータ駆動指令信号かモータ作動検査のためのモータ検査指令信号のいずれかであるかを判定して判定結果を出力する外部信号判定手段と、前記判定結果に基づき外部入力信号が前記モータ検査指令信号であった場合には、前記ソフトスタート手段のソフトスタート制御を無効化させるソフトスタート無効化手段と、を備え、前記ソフトスタート手段は、前記ソフトスタート無効化手段によって前記ソフトスタート制御が無効化されていない場合に該ソフトスタート制御を行うことにより解決される。
【０００６】
このように本発明では、外部入力信号がモータ駆動指令信号かモータ検査指令信号のいずれであるかを判定し、外部入力信号がモータ検査指令信号である場合には、ソフトスタートさせないようにソフトスタート無効化手段によってソフトスタート手段が無効化される。したがって、検査時にモータ検査指令信号を入力した場合には、モータがソフトスタート制御されなくなるので、モータ回転速度を即座に所定のモータ回転速度まで増速することができる。これにより、製造時等に行う検査に要する時間を短縮することができる。
【０００７】
また、前記ソフトスタート手段は、前記ソフトスタート無効化手段によって前記ソフトスタート制御が無効化されている場合には、該ソフトスタート制御を行うときよりも短時間で所定のモータ回転速度に達するように、前記駆動信号を変化させると好適である。このように構成すると、検査時に、ソフトスタート制御によって所定のモータ回転速度に到達させるのに要する時間よりも短時間でこのモータ回転速度に到達させることができるので、検査時間を短縮することができる。
【０００８】
また、前記ソフトスタート手段は、前記ソフトスタート無効化手段によって前記ソフトスタート制御が無効化されている場合には、所定のモータ回転速度に対応した駆動信号を出力させると好適である。このように構成すると、短時間で所定のモータ回転速度に到達させることができるので、検査時間を短縮することができると共に、検査時にはソフトスタート制御を全く行わないだけなので構成を簡単にすることができる。
【０００９】
また、具体的には、外部入力信号は矩形波電圧信号または矩形波電流信号であり、前記外部信号判定手段は、外部入力信号の繰り返し時間間隔または周波数に基づいて、外部入力信号が前記モータ駆動指令信号か前記モータ検査指令信号のいずれかであることを判定するように構成することができる。
また、外部入力信号は矩形波電圧信号または矩形波電流信号あるいは直流電圧信号または直流電流信号であり、前記外部信号判定手段は、外部入力信号の信号パターンに基づいて、外部入力信号が前記モータ駆動指令信号か前記モータ検査指令信号のいずれかであることを判定するように構成してもよい。
【００１０】
また、モータと、該モータの駆動を制御する上記モータ制御装置と、を備えたモータ装置を構成すると、製造時等に行う出力特性検査に要する検査時間を短縮化することができるので好適である。
【発明の効果】
【００１１】
本発明のモータ制御装置およびモータ装置によれば、通常時にはソフトスタートさせることによって、騒音や振動の発生を低減することができると共に、検査時にはソフトスタート制御を無効化して起動させることができるので、即座に所定のモータ回転速度に到達させることが可能であり、検査時間を短縮することができる。
【発明を実施するための最良の形態】
【００１２】
以下、本発明の一実施形態を図面に基づいて説明する。なお、以下に説明する部材，配置等は本発明を限定するものでなく、本発明の趣旨の範囲内で種々改変することができるものである。
図１〜図９は本発明の一実施形態に係るものであり、図１は空調装置の構成図、図２はモータ装置の構成図、図３は回転制御回路の構成図、図４は外部入力信号の時間変化を表す説明図、図５はモータ駆動指令信号のデューティ比とモータ回転速度の関係を表すグラフ、図６はモータ装置の検査時の説明図、図７は制御信号の時間変化を表す説明図、図８はモータ起動時の回転速度の時間変化を表すグラフ、図９はモータ制御装置の処理手順を表すフローチャートである。
図１０〜図１３は本発明の他の実施形態に係るものであり、図１０，図１１，図１３は外部入力信号の時間変化を表す説明図、図１２は外部入力信号レベルとモータ回転速度の関係を表すグラフである。
【００１３】
以下に、本発明を車両に搭載される空調装置１のブロワモータ装置２（以下「モータ装置２」という）に適用した例を示す。図１に示すように、本例の空調装置１では、操作スイッチ４からの操作信号に基づいて、エアコンＥＣＵ３（上位の空調制御装置）からモータ装置２へモータ駆動指令信号Ｓ１が送出され、このモータ駆動指令信号Ｓ１に基づいてモータ装置２が通常の作動を行うように構成されている。
本例のブロワモータ装置２は、不図示のファンが出力軸に取付けられたモータ１０と、モータ１０へ駆動信号を出力するモータ制御装置２０を主要構成要素としている。
【００１４】
エアコンＥＣＵ３からモータ駆動指令信号Ｓ１を受けると、モータ制御装置２０は、モータ１０へ駆動信号Ｓ４を出力してモータ１０を回転駆動する。モータ制御装置２０は、モータ１０の起動時には、ソフトスタートにより、停止状態から徐々にモータ回転速度を増速していき、モータ駆動指令信号Ｓ１に対応するモータ回転速度に達するようモータ１０を制御する。
本例のモータ１０は、ブラシレスモータであり、モータ制御装置２０から所定のデューティ比の矩形波電圧信号を受けることにより、デューティ比に応じたモータ回転速度で回転するように制御される。なお、本例では、モータ１０は、ホールセンサ１２を備えたブラシレスモータであるが、本発明はこれに限られるものではなく、他のタイプの電動モータであってもよい。例えば、モータ１０を整流子を有するブラシ付きのモータとしてもよい。
【００１５】
図２に示すように、本例のモータ１０は、３相の巻線１１（１１ａ，１１ｂ，１１ｃ）を有する固定子（不図示）と、ロータマグネットを有する回転子（不図示）とを備えている。固定子には、ホールセンサ１２（１２ａ，１２ｂ，１２ｃ）が配設されており、回転子の回転に応じてセンサ出力を回転制御回路２２へ出力している。
【００１６】
本例のモータ制御装置２０は、外部からの入力信号（モータ駆動指令信号Ｓ１）に基づいて所定のデューティ比の制御信号Ｓ３を出力する回転制御回路２２と、制御信号Ｓ３によりモータ１０の各相巻線１１へ位相の異なる矩形波電圧信号（駆動信号Ｓ４）を供給する駆動回路２８を備えている。
本例の回転制御回路２２は、マイコンによって構成されており、モータ駆動指令信号Ｓ１の入力に伴って、駆動回路２８への制御信号（ＰＷＭ信号）Ｓ３のデューティ比を０から徐々に増加していき、モータ駆動指令信号Ｓ１によって設定される目標値であるモータ回転数に到達させるように制御信号Ｓ３を送出するソフトスタート制御を行う。
【００１７】
また、本例の駆動回路２８は、図２に示すように公知の構成からなるものであり、６の抵抗Ｒ１〜Ｒ６と、６のパワー素子Ｑ１〜Ｑ６が基板上で配線されて構成されている。駆動回路２８は、回転制御回路２２からの制御信号Ｓ３によって、パワー素子Ｑ１〜Ｑ６をオン／オフさせ、所定タイミングで車載バッテリＢを巻線１１へ接続して回転磁界を生成している。
【００１８】
図３に示すように、本例の回転制御回路２２は、外部信号が入力される外部信号判定手段２３と、外部信号判定手段２３の判定信号Ｓ２に基づいて駆動回路２８へ制御信号Ｓ３を出力してモータ１０の回転を制御する回転制御部２４とを備えている。
外部信号判定手段２３には、常時は、エアコンＥＣＵ３からのモータ駆動指令信号Ｓ１（図４（Ａ）参照）が入力される。モータ駆動指令信号Ｓ１は、図４（Ａ）に示すように、所定のデューティ比を有する矩形波電圧信号である。図４（Ａ）の例では、パルス間隔Ｔ２毎にパルス幅Ｔ１のパルス信号が出力されており、デューティ比はＴ１／Ｔ２となっている。本例では、周波数α（＝１／Ｔ２）でパルス信号が出力される。
なお、本例では、モータ駆動指令信号Ｓ１は矩形波電圧信号であるが、矩形波電流信号であってもよい。
【００１９】
外部信号判定手段２３は、この矩形状のパルス信号を受けて、パルスエッジを検出して、パルス間隔，パルス幅，デューティ比，周波数を算出している。
本例では、図５に示すように、常時は、モータ駆動指令信号Ｓ１のデューティ比の大きさに応じてモータ回転出力が設定され、モータ１０へ駆動信号Ｓ４が出力されるように構成されている。
【００２０】
また、本例の外部信号判定手段２３は、算出した周波数の大きさによって、通常作動時のモータ駆動指令信号Ｓ１かモータ作動検査時のモータ検査指令信号Ｓｃが入力されたか否かを判定する。このため、外部信号判定手段２３は、モータ駆動指令信号周波数範囲とモータ検査指令信号周波数範囲を予めメモリに記憶している。
なお、外部信号判定手段２３は、算出したパルス間隔の大きさによって、外部入力信号がモータ駆動指令信号Ｓ１かモータ検査指令信号Ｓｃかを判定するようにしてもよい。この場合、モータ駆動指令信号パルス間隔範囲とモータ検査指令信号パルス間隔範囲をメモリに記憶させておき、算出したパルス間隔がこれらのいずれの範囲に属するかによって判定するように構成できる。
【００２１】
図６に示すように、モータ装置２の製造時には、検査装置５から擬似信号を入力してモータ１０を所定のモータ回転速度で作動させることによって、最大出力の特性検査が行われる。本例のモータ装置２では、この最大出力特性検査において、検査装置５から図４（Ｂ）に示すモータ検査指令信号Ｓｃが入力される。すなわち、本例のモータ検査指令信号Ｓｃは、パルス間隔Ｔｃ、周波数β（＝１／Ｔｃ）の矩形波電圧パルス信号である。本例では、周波数βは周波数αよりも大きな値に設定されている。
なお、これに限らず、周波数βが周波数αよりも小さな値に設定されていてもよい。また、本例では周波数βが一定の値をとるように設定されているが、これに限らず、周波数βが時間的に変化するものであってもよい。
【００２２】
外部信号判定手段２３は、周波数αのパルス信号が入力されたときは通常モードと判定し、周波数βのパルス信号が入力されたときは検査モードと判定する。これにより、外部信号判定手段２３は、入力信号によって、通常モード／検査モードの別と、入力パルス信号のデューティ比等を含む判定信号Ｓ２を回転制御部２４へ出力する。
【００２３】
回転制御部２４は、内部にソフトスタート手段２６と、ソフトスタート無効化手段２５を備えている。回転制御部２４は、通常モードでの作動時には、判定信号Ｓ２を受信して、外部信号判定手段２３に入力されたモータ駆動指令信号Ｓ１のデューティ比に基づくモータ回転速度となるように、制御信号Ｓ３のデューティ比を設定して、駆動回路２８へ制御信号Ｓ３を出力する。
ソフトスタート手段２６は、通常モードでのモータ起動時に、上述のようにモータ１０を目標となるモータ回転速度まで徐々に増速するように制御信号Ｓ３を制御する。一方、ソフトスタート無効化手段２５は、判定信号Ｓ２によって検査モードであると判別すると、ソフトスタート手段２６によるソフトスタート制御を無効化する。
【００２４】
通常モードでの起動時には、ソフトスタート無効化手段２５は判定信号Ｓ２により、通常モードでの起動であると判定すると、ソフトスタート手段２６は、図７に示すように、制御信号Ｓ３のデューティ比を０付近から、モータ駆動指令信号Ｓ１のデューティ比に基づくモータ回転速度となるデューティ比まで徐々に増加させていく。図７の例では、パルス間隔Ｔ２毎に制御信号Ｓ３が出力されており、出力当初はパルス幅Ｔ１０であったものが、パルス幅Ｔ１１に徐々に増大され、最終的に目標値であるパルス幅Ｔ１２となっている。
これにより、駆動回路２８からの駆動信号によって、モータ１０の巻線１１へ通電される単位時間当たりの通電時間が徐々に増加していき、図８に示すように、モータ１０は、停止状態から所定のモータ回転速度Ａまで時間Ｔａで増速される。
【００２５】
一方、検査モードでの起動時には、ソフトスタート無効化手段２５によってソフトスタート手段２６によるソフトスタート制御が無効化され、モータ駆動指令信号Ｓ１のデューティ比によって設定されるべきデューティ比の制御信号Ｓ３がソフトスタート手段２６から出力される。すなわち、図７（Ｂ）に示すように、検査モード時には、パルス間隔Ｔ２毎に当初から目標値であるパルス幅Ｔ１の制御信号Ｓ３が出力される。図７（Ｂ）におけるパルス幅Ｔ１は、最大出力特性検査に対応するデューティ比となる値である。
【００２６】
このように、ソフトスタート機能が無効化されることにより、図８（Ｂ）に示すように、検査モードでは、時間Ｔａよりも短い時間Ｔａｃでモータ回転速度Ａまで到達することができる。このように、本例のモータ装置２では、検査時には、ソフトスタートさせることなく、停止状態から所定のモータ回転速度まですばやく増速して、検査時間を短縮することができる。
【００２７】
次に、図９に基づいて、本例のモータ制御装置２０の処理手順について説明する。
まず、モータ制御装置２０は、外部入力があるとその外部入力信号を読み込む（ステップＳ１）。この処理は、外部信号判定手段２３が行う。
そして、上述のように外部信号判定手段２３は、外部入力信号の周波数を検出して、入力された信号がモータ駆動指令信号Ｓ１であるのかモータ検査指令信号Ｓｃであるのかを判定する（ステップＳ２）。すなわち、算出された周波数が、周波数αを含む所定の周波数範囲（モータ駆動指令信号周波数範囲）であればモータ駆動指令信号Ｓ１と判定して、通常モードのフラグをオンにする。また、これ以外の周波数βを含む周波数範囲（モータ検査指令信号周波数範囲）であればモータ検査指令信号Ｓｃと判定して、検査モードのフラグをオンにする。
【００２８】
通常モード／検査モードの別を判定すると、外部信号判定手段２３は、回転制御部２４に通常モード／検査モードのフラグ信号およびパルス間隔，パルス幅，デューティ比を含む判定信号Ｓ２を出力する。
回転制御部２４は、判定信号Ｓ２に基づいて、フラグ信号が通常モードであるか検査モードであるかを判別し、通常モードである場合は、ステップＳ３でソフトスタート手段２６はソフトスタート制御に基づく制御信号Ｓ３を出力する。これにより、モータ１０は、徐々に目標となるモータ回転速度まで増速され、処理が終了する。
一方、検査モードである場合は、ステップＳ４でソフトスタート無効化手段２５によって、ソフトスタート手段２６はソフトスタート制御が無効化される。これにより、ソフトスタート手段２６は、当初から所定のデューティ比の制御信号Ｓ３を出力し、モータ１０を短時間で所定のモータ回転速度まで増速して、処理を終了する。
【００２９】
本発明を以下のように改変することができる。
上記実施形態では、モータ１０へ印加電圧が一定であるパルス状の駆動信号を出力し、そのデューティ比によってモータ回転速度を制御していたが、これに限らず、モータ１０へ印加する電圧（または電流）の大きさを変化させて、印加電圧（または印加電流）の大きさによってモータ回転速度を制御するように構成してもよい。
【００３０】
また、上記実施形態では、モータ検査指令信号Ｓｃが周波数βで一定であったが、これに限らず、図１０に示すような実施態様であってもよい。すなわち、図１０の例では、通常モードでの起動する際にエアコンＥＣＵ３から入力される外部信号（モータ駆動指令信号Ｓ１）は、パルス間隔Ｔ２，周波数α（＝１／Ｔ２）であり、上記実施形態と同様である。
一方、検査時に入力される外部信号（モータ検査指令信号Ｓｃ）は、パルス間隔が時間ｔ毎に切り替わる。すなわち、この例では、モータ検査指令信号Ｓｃは、周波数α，周波数γ（本例では周波数αよりも小さな値）のパルス信号の発生を時間ｔ毎に交互に繰り返す信号パターンを有する。そして、外部信号判定手段２３は、このような信号パターンの外部信号を検出したときに、モータ検査指令信号Ｓｃが入力されたと判断して、検査モードのフラグをオンにするように構成することができる。
なお、周波数γの大きさを周波数αよりも大きな値に設定してもよい。また、繰り返し時間ｔを一定としなくてもよい。例えば、周波数αのパルス信号継続時間ｔ１よりも、周波数γのパルス信号継続時間ｔ２の方を大きく設定してもよいし、その逆であってもよい。さらに、時間ｔ１，ｔ２を時間とともに変化させてもよい。
【００３１】
また、上記実施形態では、モータ制御装置２０に矩形波パルス信号が入力される構成であったが、これに限らず、モータ制御装置２０に電圧または電流のアナログ信号（直流電圧信号または直流電流信号）が入力される構成であってもよい。この場合、外部信号が入力する外部信号判定手段２３は、増幅器，電圧バッファ，比較器等からなる電圧（または電流）レベル検出回路として構成することができる。
この実施態様では、図１１（Ａ）に示すようなアナログ電圧信号（またはアナログ電流信号）がモータ駆動指令信号Ｓ１とされる。この例では、電圧レベル（または電流レベル）ｘ〜ｙの範囲のモータ駆動指令信号Ｓ１によって、モータ１０が駆動されるように設定される。そして、図１２に示すように、モータ１０は、モータ駆動指令信号Ｓ１の大きさに応じてモータ回転速度が設定されるようになっている。
【００３２】
図１１（Ａ）は、通常モードにおけるモータ駆動指令信号Ｓ１の時間変化を示している。通常モードにおけるモータ起動時では、モータ駆動指令信号Ｓ１の大きさに応じたモータ回転速度となるように、ソフトスタート制御によってモータ制御装置２０から出力される駆動信号のデューティ比が制御される。
一方、図１１（Ｂ）は、検査モードで駆動するためのモータ検査指令信号Ｓｃの時間変化を表している。この場合、モータ検査指令信号Ｓｃは、所定範囲の電圧レベル（または電流レベル）ｘ〜ｙ（通常モードレベル範囲）を超えた値を維持する信号パターンを有する。外部信号判定手段２３は、外部信号を受けると、この信号の値が通常モードレベル範囲内にあるか否かを判定する。この判定により、通常モードレベル範囲内にあると判定された場合には、上述の処理と同様に通常モードのフラグがオンされ、通常モードレベル範囲内にない（すなわち、検査モードレベル範囲内にある）と判定された場合には、検査モードのフラグがオンされる。
このように外部入力信号の電圧（または電流）レベルの大きさによって通常モードと検査モードの別を判定するように構成することができる。
【００３３】
また、図１１の例では、モータ検査指令信号Ｓｃが時間的に一定の値となっていたが、これに限らず、図１３に示すような態様であってもよい。図１３（Ａ）は通常モードの説明図であり、図１１（Ａ）と同様である。一方、図１３（Ｂ）は検査モードの説明図であり、モータ検査指令信号Ｓｃは電圧レベル（または電流レベル）ｘ，ｙを時間ｔ毎に交互に繰り返す信号パターンを有する。外部信号判定手段２３は、外部入力信号がこのような信号パターンを有することを検出したときに、モータ検査指令信号Ｓｃが入力したことを判別することができ、検査モードのフラグをオンにすることが可能となる。
この場合、モータ検査指令信号Ｓｃが通常モードレベル範囲内で変動しても、通常モードか検査モードであるかの判定ができないため、少なくとも上下変動値の一方が通常モードレベルの上下限値もしくはこれを超えた値に設定されるとよい。
【００３４】
なお、上記実施形態では、モータ検査指令信号Ｓｃが入力した場合には、ソフトスタート手段２６が無効化され、所定のモータ回転速度に対応する駆動信号Ｓ４が出力されるように構成されていたが、これに限らず、ソフトスタート制御するよりは短時間で所定のモータ回転速度に到達するように駆動信号Ｓ４を出力するように構成してもよい。例えば、まず所定のモータ回転速度の半分の速度に対応する駆動信号Ｓ４を出力し、その後所定のモータ回転速度に対応する駆動信号Ｓ４を段階的に出力するようにしてもよい。
また、回転制御回路２２は、検査モード時に完全にソフトスタート制御を無効化するのではなく、モータ回転速度の加速度（増速の勾配）をソフトスタート時よりも大きく（急に）するように制御して、ソフトスタート制御するよりは短時間で所定のモータ回転速度に到達するように構成してもよい。
【図面の簡単な説明】
【００３５】
【図１】本発明の一実施形態に係る空調装置の構成図である。
【図２】モータ装置の構成図である。
【図３】回転制御回路の構成図である。
【図４】外部入力信号の時間変化を表す説明図である。
【図５】モータ駆動指令信号のデューティ比とモータ回転速度の関係を表すグラフである。
【図６】モータ装置の検査時の説明図である。
【図７】制御信号の時間変化を表す説明図である。
【図８】モータ起動時の回転速度の時間変化を表すグラフである。
【図９】モータ制御装置の処理手順を表すフローチャートである。
【図１０】本発明の他の実施形態に係る外部入力信号の時間変化を表す説明図である。
【図１１】本発明の他の実施形態に係る外部入力信号の時間変化を表す説明図である。
【図１２】本発明の他の実施形態に係る外部入力信号レベルとモータ回転速度の関係を表すグラフである。
【図１３】本発明の他の実施形態に係る外部入力信号の時間変化を表す説明図である。
【符号の説明】
【００３６】
１‥空調装置、２‥ブロワモータ装置、４‥操作スイッチ、５‥検査装置、
１０‥モータ、１１‥巻線、１２‥ホールセンサ、２０‥モータ制御装置、
２２‥回転制御回路、２３‥外部信号判定手段、２４‥回転制御部、
２５‥ソフトスタート無効化手段、２６‥ソフトスタート手段、
２８‥駆動回路、Ｑ１〜Ｑ６‥パワー素子、Ｒ１〜Ｒ６‥抵抗、
Ｓ１‥モータ駆動指令信号、Ｓ２‥判定信号、Ｓ３‥制御信号、Ｓ４‥駆動信号、
Ｓｃ‥モータ検査指令信号
【図１】
2006320164.tif 000003
【図２】
2006320164.tif 000004
【図３】
2006320164.tif 000005
【図４】
2006320164.tif 000006
【図５】
2006320164.tif 000007
【図６】
2006320164.tif 000008
【図７】
2006320164.tif 000009
【図８】
2006320164.tif 000010
【図９】
2006320164.tif 000011
【図１０】
2006320164.tif 000012
【図１１】
2006320164.tif 000013
【図１２】
2006320164.tif 000014
【図１３】
2006320164.tif 000015